【手続補正書】
【提出日】平成20年9月24日(2008.9.24)
【手続補正１】
【補正対象書類名】明細書
【補正対象項目名】特許請求の範囲
【補正方法】変更
【補正の内容】
【特許請求の範囲】
【請求項１】  バーコードデータを発生させるためにバーコードを走査する段階と、
前記バーコードデータを使用してマークアップ言語文書を作成する段階と、
ＸＭＬスキーマを作成し、前記マークアップ言語文書において使用するための要素データと属性データの収集を導く段階と、
を含むことを特徴とする、バーコードをマークアップ言語文書に変換する方法。
【請求項２】  患者を病院に受け入れる段階と、
治療歴情報に関する情報を包含する前記バーコードを前記患者に割り当てる段階と、
を更に含むことを特徴とする請求項１に記載の方法。
【請求項３】  前記患者に投与されたマークアップ言語タグ付きバーコードを有する薬物からの情報を走査することにより更新された治療歴情報を検索する段階を更に含むことを特徴とする請求項２に記載の方法。
【請求項４】  前記治療歴情報をインターネットを経由して保険会社に送信する段階を更に含むことを特徴とする請求項２に記載の方法。
【請求項５】  前記治療歴情報を病院中央コンピュータに電子的に送信する段階を更に含むことを特徴とする請求項２に記載の方法。
【請求項６】  前記患者に行われた病院処置に付随するＸＭＬタグ付きバーコードからの情報を走査することにより、更新された治療歴情報を検索する段階を更に含むことを特徴とする請求項２に記載の方法。
【請求項７】  治療歴情報を前記インターネットを経由して病院中央コンピュータに送信する段階を更に含むことを特徴とする請求項６に記載の方法。
【請求項８】  コンピュータ部品が組立ラインから出て行く時、前記部品の技術仕様に関する情報を含む前記バーコードを前記コンピュータ部品に割り当てる段階を更に含むことを特徴とする請求項１に記載の方法。
【請求項９】  前記バーコードを定期的に走査することにより、更新された位置情報を検索する段階を更に含むことを特徴とする請求項８に記載の方法。
【請求項１０】  複数の部品の在庫、入手可能性、及び、技術仕様に関する情報を維持する前記部品の製造会社のデータベースに前記文書を送信する段階を更に含むことを特徴とする請求項８に記載の方法。
【請求項１１】  調達品情報を得るためにリンキング言語を使用して納入業者のデータベースに問い合わせる段階と、前記調達品情報を前記インターネット上で前記製造会社の前記データベースに中継する段階とを更に含むことを特徴とする請求項１０に記載の方法。
【請求項１２】  前記調達品情報に基づいて納入業者に調達品を注文する段階を更に含むことを特徴とする請求項１１に記載の方法。
【請求項１３】  前記調達品情報に基づいて納入業者に出荷を指示する段階を更に含むことを特徴とする請求項１１に記載の方法。
【請求項１４】  前記バーコードをＸＭＬ文書に変換する段階を更に含むことを特徴とする請求項１に記載の方法。
【請求項１５】  要素データと属性データとを前記文書に含める段階を更に含むことを特徴とする請求項１に記載の方法。
【請求項１６】  要素データと属性データとの収集を有効な要素データと有効な属性データとを収集することに制限する文書形式定義プログラムを作成する段階を更に含むことを特徴とする請求項１に記載の方法。
【請求項１７】  要素データと属性データとの収集を導く文書形式定義プログラムを導入する段階を更に含むことを特徴とする請求項１に記載の方法。
【請求項１８】  各車両に車両情報を含む２次元マークアップ言語タグ付きバーコードを準備する段階と、
バーコードデータを発生させるために前記バーコードを走査する段階と、
前記バーコードデータを使用してマークアップ言語文書を作成する段階と、
ＸＭＬスキーマを作成して、前記マークアップ言語文書に使用するため要素及び属性データの収集を導く段階と、
を含むことを特徴とする、車両在庫を追跡する方法。
【請求項１９】  前記バーコードをＸＭＬ文書に変換する段階を更に含むことを特徴とする請求項１８に記載の方法。
【請求項２０】  要素データと属性データとを前記文書に含める段階を更に含むことを特徴とする請求項１８に記載の方法。
【請求項２１】  要素データと属性データとの収集を有効要素データと有効属性データとを収集することに制限する文書形式定義プログラムを作成する段階を更に含むことを特徴とする請求項１８に記載の方法。
【請求項２２】  要素データと属性データとの前記収集を導く文書形式定義プログラムを導入する段階を更に含むことを特徴とする請求項１８に記載の方法。
【請求項２３】  バーコードデータを発生させるためにバーコードを走査する手段と、
前記バーコードデータを使用してマークアップ言語文書を作成する手段と、
ＸＭＬスキーマを作成して、前記マークアップ言語文書に使用するため要素及び属性データの収集を導く手段と、
を含むことを特徴とする、バーコードをマークアップ言語文書に変換する装置。
【請求項２４】  患者を病院に受け入れる手段と、
前記患者に治療歴情報に関する情報を含む前記バーコードを割り当てる手段と、
を更に含むことを特徴とする請求項２３に記載の装置。
【請求項２５】  前記患者に投与されたマークアップ言語タグ付きバーコードを有する薬物からの情報を走査することにより更新された治療歴情報を検索する手段を更に含むことを特徴とする請求項２４に記載の装置。
【請求項２６】  前記治療歴情報を前記インターネットを経由して保険会社に送信する手段を更に含むことを特徴とする請求項２４に記載の装置。
【請求項２７】  前記治療歴情報を病院中央コンピュータに送信する手段を更に含むことを特徴とする請求項２４に記載の装置。
【請求項２８】  前記患者に行われた病院処置に付随するＸＭＬタグ付きバーコードからの情報を走査することにより更新された治療歴情報を検索する手段を更に含むことを特徴とする請求項２４に記載の装置。
【請求項２９】  治療歴情報を前記インターネットを経由して病院中央コンピュータに送信する手段を更に含むことを特徴とする請求項２８に記載の装置。
【請求項３０】  コンピュータ部品が組立ラインから出て行く時、前記部品の技術仕様に関する情報を包含する前記バーコードを前記コンピュータ部品に割り当てる手段を更に含むことを特徴とする請求項２３に記載の装置。
【請求項３１】  前記バーコードを定期的に走査することにより、更新された位置情報を検索する手段を更に含むことを特徴とする請求項３０に記載の装置。
【請求項３２】  複数の部品の在庫、入手可能性、及び、技術仕様に関する情報を維持する前記部品の製造会社のデータベースに前記文書を送信する手段を更に含むことを特徴とする請求項３０に記載の装置。
【請求項３３】  調達品情報を得るためにリンキング言語を使用して納入業者のデータベースに問い合わせる手段と、前記調達品情報を前記インターネット上で前記製造会社の前記データベースに中継する手段とを更に含むことを特徴とする請求項３２に記載の装置。
【請求項３４】  前記調達品情報に基づいて納入業者に調達品を注文する手段を更に含むことを特徴とする請求項３３に記載の装置。
【請求項３５】  前記調達品情報に基づいて納入業者に出荷を指示する手段を更に含むことを特徴とする請求項３３に記載の装置。
【請求項３６】  前記バーコードをＸＭＬ文書に変換する手段を更に含むことを特徴とする請求項２５に記載の装置。
【請求項３７】  要素データと属性データとを前記文書に含める手段を更に含むことを特徴とする請求項２３に記載の装置。
【請求項３８】  要素データと属性データとの収集を有効な要素データと有効な属性データとを収集することに制限する文書形式定義プログラムを作成する手段を更に含むことを特徴とする請求項２３に記載の装置。
【請求項３９】  要素データと属性データとの収集を導く文書形式定義プログラムを導入する手段を更に含むことを特徴とする請求項２３に記載の装置。
【請求項４０】  各車両に車両情報を含む２次元マークアップ言語タグ付きバーコードを準備する手段と、
バーコードデータを発生させるために前記バーコードを走査する手段と、
前記バーコードデータを使用してマークアップ言語文書を作成する手段と、
ＸＭＬスキーマを作成し、前記要素データと属性データの収集を導く手段と、
を含むことを特徴とする、車両在庫を追跡する装置。
【請求項４１】  前記バーコードをＸＭＬ文書に変換する手段を更に含むことを特徴とする請求項４０に記載の装置。
【請求項４２】  要素データと属性データとを前記文書に含める手段を更に含むことを特徴とする請求項４０に記載の装置。
【請求項４３】  要素データと属性データとの収集を有効要素データと有効属性データとを収集することに制限する文書形式定義プログラムを作成する手段を更に含むことを特徴とする請求項４０に記載の装置。
【請求項４４】  要素データと属性データとの前記収集を導く文書形式定義プログラムを導入する手段を更に含むことを特徴とする請求項４０に記載の装置。